(57)【要約】【課題】複数の表示手段ごとに同じ内容を表示する冗長さを解消すると共に、部品点数及びコストを削減し、アレイカートリッジ内の記憶装置に対する何らかの不正な取扱いが行われた可能性があることを使用者が認識すること等を可能とする。【解決手段】アレイカートリッジ１０は、複数のディスクドライブ装置１１を着脱可能に収容し、ＭＰＵ３０、不揮発性メモリ３１、ＬＣＤ３２、開閉検知回路３６等を備える。ＭＰＵ３０は、アレイカートリッジ１０が本体装置１２から取り外されている状態において、不揮発性メモリ３１の所定領域に設定された開閉検知フラグに開閉検知回路３６の検知結果としてカバー１３の閉鎖が記憶されている場合は、識別情報をＬＣＤ３２に表示させ、開閉検知フラグに開閉検知回路３６の検知結果としてカバー１３の開放が記憶されている場合は、カバー１３が開放された旨をＬＣＤ３２に表示させる。【選択図】      図２
2004355138.tif 000002
【特許請求の範囲】
【請求項１】
複数の記憶装置を着脱可能に収容すると共に情報処理装置に着脱可能に装着されるアレイカートリッジであって、
前記複数の記憶装置からなるアレイ構造全体を識別する識別情報を記憶する情報記憶手段と、前記アレイ構造全体に対して設けられ前記識別情報を表示する表示手段と、前記情報処理装置への装着時に前記情報処理装置とのインターフェースを司る接続手段と、アレイカートリッジ各部に電源を供給する電源供給手段とを備えることを特徴とするアレイカートリッジ。
【請求項２】
前記情報記憶手段に記憶される前記識別情報は、少なくとも、タイトルラベル、ボリューム名、識別番号の何れかを含む情報であり、前記情報処理装置から前記接続手段を介して前記情報記憶手段への書き込みが指示されると共に、書き換えが可能であることを特徴とする請求項１記載のアレイカートリッジ。
【請求項３】
前記アレイカートリッジにおける前記複数の記憶装置の収容口を開閉可能に遮蔽するカバーの開閉状態を検知する検知手段と、前記検知手段の検知結果に応じて前記表示手段の表示内容を変更する表示制御手段とを備えることを特徴とする請求項１記載のアレイカートリッジ。
【請求項４】
前記検知手段の検知結果を記憶する開閉記憶手段を備え、前記表示制御手段は、前記開閉記憶手段に記憶された前記検知手段の検知結果に応じて前記表示手段の表示内容を変更することを特徴とする請求項３記載のアレイカートリッジ。
【請求項５】
前記表示制御手段は、前記アレイカートリッジが前記情報処理装置から取り外されている状態において、前記開閉記憶手段に前記検知手段の検知結果として前記カバーの閉鎖が記憶されている場合は、前記識別情報を前記表示手段に表示させ、前記開閉記憶手段に前記検知手段の検知結果として前記カバーの開放が記憶されている場合は、前記カバーが開放された旨を前記表示手段に表示させることを特徴とする請求項４記載のアレイカートリッジ。
【請求項６】
前記カバーをロックする施錠手段と、前記カバーのロック解除を指示する指示手段と、前記カバーが閉じられた場合に前記施錠手段により前記カバーをロックする制御を行うと共に、前記指示手段により前記カバーのロック解除が指示された場合に前記施錠手段による前記カバーのロックを解除する制御を行う施錠制御手段とを備えることを特徴とする請求項３記載のアレイカートリッジ。
【請求項７】
前記表示制御手段は、前記開閉記憶手段に前記検知手段の検知結果として前記カバーの開放が記憶されている場合、前記カバーの開放が前記指示手段によるロック解除指示後の開放であるか否かに応じて前記表示手段の表示内容を変更することを特徴とする請求項３、４、６の何れかに記載のアレイカートリッジ。
【請求項８】
前記表示制御手段は、前記アレイカートリッジが前記情報処理装置から取り外されている状態において、前記カバーの開放が前記指示手段によるロック解除指示後の開放である場合は、前記指示手段のロック解除指示により前記カバーが開放された旨を前記表示手段に表示させ、前記カバーの開放が前記指示手段によるロック解除指示後の開放でない場合は、不正に前記カバーが開放された旨を前記表示手段に表示させることを特徴とする請求項７記載のアレイカートリッジ。
【請求項９】
複数の記憶装置を着脱可能に収容すると共に情報処理装置に着脱可能に装着され、情報を表示する表示手段を備えたアレイカートリッジの表示制御方法であって、
前記アレイカートリッジにおける前記複数の記憶装置の収容口を開閉可能に遮蔽するカバーの開閉状態を検知し、前記検知結果を記憶し、前記アレイカートリッジが前記情報処理装置から取り外されている状態において、前記検知結果として前記カバーの閉鎖が記憶されている場合は、前記複数の記憶装置からなるアレイ構造全体を識別する情報を前記表示手段に表示させ、前記検知結果として前記カバーの開放が記憶されている場合は、前記カバーが開放された旨を前記表示手段に表示させることを特徴とする表示制御方法。
【請求項１０】
前記カバーは、施錠手段によるロック及びロックの解除が可能であり、前記アレイカートリッジが前記情報処理装置から取り外されている状態において、前記カバーの開放がロック解除指示後の開放である場合は、前記ロック解除指示により前記カバーが開放された旨を前記表示手段に表示させ、前記カバーの開放が前記ロック解除指示後の開放でない場合は、不正に前記カバーが開放された旨を前記表示手段に表示させることを特徴とする請求項９記載の表示制御方法。
【請求項１１】
複数の記憶装置を着脱可能に収容すると共に情報処理装置に着脱可能に装着され、情報を表示する表示手段を備えたアレイカートリッジの表示制御方法をコンピュータに実行させるプログラムであって、
前記アレイカートリッジにおける前記複数の記憶装置の収容口を開閉可能に遮蔽するカバーの開閉状態を検知する検知モジュールと、前記検知モジュールの検知結果を記憶する記憶モジュールと、前記アレイカートリッジが前記情報処理装置から取り外されている状態において、前記記憶モジュールで前記検知モジュールの検知結果として前記カバーの閉鎖が記憶されている場合は、前記複数の記憶装置からなるアレイ構造全体を識別する情報を前記表示手段に表示させ、前記記憶モジュールで前記検知モジュールの検知結果として前記カバーの開放が記憶されている場合は、前記カバーが開放された旨を前記表示手段に表示させる表示制御モジュールとを備えることを特徴とするプログラム。
【発明の詳細な説明】
【０００１】
【発明の属する技術分野】
本発明は、ハードディスクドライブ装置等の記憶装置を複数着脱可能及び交換可能に収容するアレイカートリッジ、アレイカートリッジの表示手段の表示制御方法、及び該方法を実行するプログラムに関する。
【０００２】
【従来の技術】
従来、ディスクアレイ装置は、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）の技術を用いて複数の記憶装置を並列に接続し、複数の記憶装置全体をまとめて制御することにより、データ転送速度の高速化及びデータ障害耐久性の向上が得られるという優れた効果を有している。尚、ＲＡＩＤ技術については、従来の各種提案におけるそれぞれの従来技術の頁に概要説明がなされている（例えば、特許文献１、特許文献２参照）。
【０００３】
しかしながら、ディスクアレイ装置は、複数の記憶装置を使用するため、小型化及び低コスト化が難しい。そのため、アレイ構造全体を可搬型（可換型）とした可搬型記憶装置は、ライブラリ装置などの特殊用途のものを除いては広く採用されるに至っていない。ところが、最近では、ディスクアレイ装置を構成する個々のハードディスクドライブ装置等が小型化及び低廉化してきており、アレイ構造全体をコンパクトにまとめた可搬型記憶装置をコンシューマ向けに製造することが、技術的にもコスト的にも可能となりつつある。
【０００４】
さて、可搬型記憶装置は、その特性上、複数の記憶装置を交換して使用することが可能であるため、従来から、可搬型記憶装置の可換部（交換可能な部分）の識別を行う工夫が種々なされている。例えばフロッピー（登録商標）ディスク、ＭＯディスク等の記憶媒体カートリッジに電子的な表示装置を設け、紙のラベルに代えて当該表示装置をラベルとして用いる可搬型記憶媒体カートリッジが各種提案されている。
【０００５】
具体例を上げると、フロッピー（登録商標）ディスクに表示装置を備えたもの、また、ＭＯディスク等の円盤形記憶媒体カートリッジ、テープ型記憶媒体カートリッジ、ハードディスクカートリッジにそれぞれ表示装置を備えたもの、更に、光磁気ディスクに表示装置を備えたものがそれぞれ提案されている（例えば、特許文献３、特許文献４、特許文献５参照）。
【０００６】
上記提案例では、いずれもＥＥＰＲＯＭ等の不揮発性メモリ或いは電池バックアップされた不揮発性メモリと、液晶表示装置等の薄型表示装置とを備え、上記不揮発性メモリの記憶内容を上記薄型表示装置に表示する構成となっている。
【０００７】
また、ＰＣカード型の複数のハードディスク装置によりディスクアレイ装置を構成し、ディスクアレイ装置本体に表示部を設けることで、アクセス状態や故障情報等を表示するディスクアレイ装置が提案されている（例えば、特許文献６参照）。
【０００８】
【特許文献１】
特開平８−１４７１１３号公報
【特許文献２】
特開平９−６５４７号公報
【特許文献３】
特開平４−６６８５号公報
【特許文献４】
特開平６−２９０５６９号公報
【特許文献５】
特開平９−２５９５７０号公報
【特許文献６】
特開平９−６５４８号公報
【０００９】
【発明が解決しようとする課題】
しかしながら、上記の特開平４−６６８５号公報、特開平６−２９０５６９号公報、特開平９−２５９５７０号公報で開示されている例は、いずれも単体の記憶媒体、記憶装置に対して提案されたものであり、ディスクアレイ装置に対して提案されたものではないため、上記従来技術を可搬型のディスクアレイ装置に適用する場合には、いくつかの欠点が存在する。
【００１０】
ディスクアレイ装置ではアレイ構造全体が１台のディスクドライブとして認識されるため、個々のディスクドライブや記憶媒体（以下、ディスクドライブ等）ごとに表示装置を装備したディスクアレイ装置の場合、それら複数の表示装置に同様の内容を表示するのは極めて冗長であると共に、部品点数及びコストが増大する。また、表示装置の取り付け位置によっては、せっかくの表示が、アレイ構造の保持部材や、アレイを構成する他のディスクドライブ等に遮蔽されてしまい、表示を見ることができなくなってしまうことも考えられる。加えて、ディスクアレイ装置を構成するのに、表示装置を備えた特別のディスクドライブ等を必要とするのはコスト上も不利である。
【００１１】
他方、上記の特開平９−６５４８号公報は、ディスクアレイ装置に対する提案例であるが、この例では、ディスクアレイ装置本体に対する可換部であるアレイカートリッジ部の装着時の表示（アクセス状態や故障情報等）に関しての記載はあるものの、ディスクアレイ装置本体からアレイカートリッジ部を取り外しているときの表示に関しては何らの開示もなされていない。
【００１２】
更に、ディスクアレイ装置においては、ディスクドライブ等の障害時などに備えて、個々のディスクドライブ等が個別に交換可能になっているので、人為的ミスや不正な取扱いなどによって、正しくない組み合わせのディスクドライブ等が混在してしまう可能性を秘めている。このような場合にどのような表示を行うかについて、従来技術では何らの開示もなされていない。
【００１３】
本発明の目的は、複数の表示手段ごとに同じ内容を表示する冗長さを解消すると共に、部品点数及びコストを削減し、アレイカートリッジ内の記憶装置に対する何らかの不正な取扱いが行われた可能性があることを使用者が認識すること等を可能としたアレイカートリッジ、表示制御方法、及び該方法を実行するプログラムを提供することにある。
【００１４】
【課題を解決するための手段】
上述の目的を達成するため、本発明のアレイカートリッジは、複数の記憶装置を着脱可能に収容すると共に情報処理装置に着脱可能に装着されるアレイカートリッジであって、前記複数の記憶装置からなるアレイ構造全体を識別する識別情報を記憶する情報記憶手段と、前記アレイ構造全体に対して設けられ前記識別情報を表示する表示手段と、前記情報処理装置への装着時に前記情報処理装置とのインターフェースを司る接続手段と、アレイカートリッジ各部に電源を供給する電源供給手段とを備えることを特徴とする。
【００１５】
上述の目的を達成するため、本発明の表示制御方法は、複数の記憶装置を着脱可能に収容すると共に情報処理装置に着脱可能に装着され、情報を表示する表示手段を備えたアレイカートリッジの表示制御方法であって、前記アレイカートリッジにおける前記複数の記憶装置の収容口を開閉可能に遮蔽するカバーの開閉状態を検知し、前記検知結果を記憶し、前記アレイカートリッジが前記情報処理装置から取り外されている状態において、前記検知結果として前記カバーの閉鎖が記憶されている場合は、前記複数の記憶装置からなるアレイ構造全体を識別する情報を前記表示手段に表示させ、前記検知結果として前記カバーの開放が記憶されている場合は、前記カバーが開放された旨を前記表示手段に表示させることを特徴とする。
【００１６】
上述の目的を達成するため、本発明のプログラムは、複数の記憶装置を着脱可能に収容すると共に情報処理装置に着脱可能に装着され、情報を表示する表示手段を備えたアレイカートリッジの表示制御方法をコンピュータに実行させるプログラムであって、前記アレイカートリッジにおける前記複数の記憶装置の収容口を開閉可能に遮蔽するカバーの開閉状態を検知する検知モジュールと、前記検知モジュールの検知結果を記憶する記憶モジュールと、前記アレイカートリッジが前記情報処理装置から取り外されている状態において、前記記憶モジュールで前記検知モジュールの検知結果として前記カバーの閉鎖が記憶されている場合は、前記複数の記憶装置からなるアレイ構造全体を識別する情報を前記表示手段に表示させ、前記記憶モジュールで前記検知モジュールの検知結果として前記カバーの開放が記憶されている場合は、前記カバーが開放された旨を前記表示手段に表示させる表示制御モジュールとを備えることを特徴とする。
【００１７】
【発明の実施の形態】
以下、本発明の実施の形態を図面を参照しながら説明する。
【００１８】
［第１の実施の形態］
図１は、本発明の第１の実施の形態に係るＲＡＩＤ方式を適用したディスクアレイカートリッジ（以下、アレイカートリッジと略称）１０、アレイカートリッジ１０を装着して使用する上位装置である情報処理装置（以下、本体装置と略称）１２、及びアレイカートリッジ１０に収容されるハードディスクドライブ装置（以下、ディスクドライブ装置と略称）１１（記憶装置）の外観を示す斜視図である。
【００１９】
図１において、（ａ）はアレイカートリッジ１０を前方斜め上から見た状態で且つ把手１４を倒した状態、（ｂ）はアレイカートリッジ１０を前方斜め上から見た状態で且つ把手１４を立てた状態、（ｃ）はアレイカートリッジ１０を前方斜め上から見た状態で且つカバー１３を開いた状態、（ｄ）は本体装置１２のアレイカートリッジ挿入口を前方斜め上から見た状態、（ｅ）はアレイカートリッジ１０を前方斜め下から見た状態、（ｆ）はアレイカートリッジ１０に収容されるディスクドライブ装置１１を取り出した状態をそれぞれ示す斜視図である。
【００２０】
最初にアレイカートリッジ１０について説明する。アレイカートリッジ１０は、筐体の上面部に配設されディスクドライブ装置１１の収容口を開閉可能に遮蔽するカバー１３と、上面部に折りたたみ自在に配設された把手１４と、側面部に配設され後述の各種動作を実行する表示回路部１５と、下面部に配設されたコネクタ１８とを備えており、本体装置１２に対し着脱可能に装着される。通常、アレイカートリッジ１０は、使用者がカバー１３を閉じた状態で図１（ｂ）に示すように立てた状態の把手１４を保持することにより、図１（ｄ）に示すような挿入口１９を介して本体装置１２に挿入され、装着される。アレイカートリッジ１０は、本体装置１２に装着されている状態において、把手１４を上面に倒した図１（ａ）に示すような外観となる。
【００２１】
使用者がアレイカートリッジ１０が本体装置１２に装着されている状態において、本体装置１２の挿入口１９からアレイカートリッジ１０を取り外すとき、図１（ｂ）に示すように、アレイカートリッジ１０の上面に倒した状態の把手１４を上面から立てた状態でその把手１４を引くことにより、本体装置１２の挿入口１９からアレイカートリッジ１０を取り外すことが可能となる。
【００２２】
更に、アレイカートリッジ１０は、筐体上面部に配設されカバー１３により開閉可能に遮蔽される収容口を介して、複数のディスクドライブ装置１１を着脱可能に収容することができるように構成されている。本実施の形態においては、アレイカートリッジ１０に例えば最大４つのディスクドライブ装置１１を収容することが可能である。これら複数のディスクドライブ装置１１をアレイカートリッジ１０に対し挿抜（着脱）する際には、図１（ｃ）に示すように、アレイカートリッジ１０のカバー１３の開閉を行う。図１（ｃ）では、アレイカートリッジ１０に４つのディスクドライブ装置１１ａ、１１ｂ、１１ｃ、１１ｄが収容されている様子を示している。尚、各ディスクドライブ装置１１ａ、１１ｂ、１１ｃ、１１ｄを説明の簡略化上、ディスクドライブ装置１１とも表記する。
【００２３】
ディスクドライブ装置１１の本体装置１２に接続されるコネクタ側からの外観は、図１（ｆ）に示すようになる。ディスクドライブ装置１１は、本体装置１２と接続するためのコネクタとして、本体装置１２との間で各種信号を用いて通信するための通信用コネクタ１６と、本体装置１２からディスクドライブ装置１１に対して電力を供給するための電源用コネクタ１７とを備えている。
【００２４】
各ディスクドライブ装置１１の通信用コネクタ１６及び電源用コネクタ１７は、ディスクドライブ装置１１がアレイカートリッジ１０に収容されている状態においても、ディスクドライブ装置１１が本体装置１２に接続可能となるように、アレイカートリッジ１０の下面部、即ち本体装置１２との接続面側に空間がそれぞれ設けられている。
【００２５】
アレイカートリッジ１０に４つのディスクドライブ装置１１ａ、１１ｂ、１１ｃ、１１ｄが収容された状態における、アレイカートリッジ１０の前方斜め下からの外観は、図１（ｅ）に示すようになる。図１（ｅ）では、アレイカートリッジ１０に収容されている４つのディスクドライブ装置１１ａ、１１ｂ、１１ｃ、１１ｄの通信用コネクタ１６及び電源用コネクタ１７が本体装置１２と接続可能となる状態で露出している様子を示している。
【００２６】
アレイカートリッジ１０のコネクタ１８は、アレイカートリッジ１０内の表示回路部１５と本体装置１２とを接続するためのコネクタであり、本実施の形態ではシリアルインターフェース信号のラインと電源ラインとを備えている。各ディスクドライブ装置１１の通信用コネクタ１６及び電源用コネクタ１７は、各ディスクドライブ装置１１がアレイカートリッジ１０に収容されている状態において、アレイカートリッジ１０のコネクタ１８と共に、図１（ｄ）に示す本体装置１２の挿入口１９から下方に位置する本体装置奥側に設けられた不図示のコネクタにそれぞれ接続される。
【００２７】
本体装置１２は、上述したように、アレイカートリッジ１０が着脱可能に装着される装置であり、アレイカートリッジ１０の各ディスクドライブ装置１１及び表示回路部１５に対する電力の供給、表示回路部１５に対する情報の送信、各ディスクドライブ装置１１に対するデータの書き込み／読み出しなどの処理を行う。本体装置１２としては、コンピュータ装置、電子データベース装置など、種々の情報処理装置を想定することができる。
尚、図１では、表示回路部１５をアレイカートリッジ１０の筐体側面部に配置する構成としているが、アレイカートリッジ１０のカバー１３の上面部に配置する構成としてもよい。
【００２８】
図２は、アレイカートリッジ１０の表示回路部１５の構成を示すブロック図である。
【００２９】
図２において、表示回路部１５は、ＭＰＵ３０（表示制御手段）、不揮発性メモリ３１（情報記憶手段）、液晶表示装置（以下、ＬＣＤ）３２（表示手段）、装着検知回路３３、電源弁別回路３４、リチウム電池３５（電源供給手段）、開閉検知回路３６（検知手段）を備えている。
【００３０】
ＭＰＵ３０は、表示回路部１５全体を制御する中央演算処理装置であり、ＲＯＭ部に格納されたプログラムに基づき後述の図６〜図８のフローチャートに示す処理を実行する。ＭＰＵ３０は、ＣＰＵ部、ＲＯＭ部、ＲＡＭ部、Ｉ／Ｏポート、シリアルインターフェースポート（接続手段）等が１チップに集積されたものである。ＭＰＵ３０のシリアルインターフェースポートは、コネクタ１８を介して、アレイカートリッジ１０を装着して使用する本体装置１２と接続される。尚、コネクタ１８は、シリアルインターフェースのほかに電源用のラインを備えている。
【００３１】
不揮発性メモリ３１は、ＥＥＰＲＯＭ或いはフラッシュメモリ或いは電池バックアップされたＳＲＡＭ等から構成されている。本実施の形態では、不揮発性メモリ３１には、アレイカートリッジ１０（各ディスクドライブ装置１１からなるアレイ構造全体）の識別情報（後述の第一の情報）が記憶される。不揮発性メモリ３１には、本体装置１２側から上記シリアルインターフェースを介してＭＰＵ３０に送信された情報が記憶される。これについては図６のフローチャートで後述する。また、不揮発性メモリ３１の所定領域には、開閉検知回路３６によるアレイカートリッジ１０のカバー１３の開閉状態の検知結果を記憶する開閉記憶フラグ（開閉記憶手段）が設定されている。
【００３２】
ＬＣＤ３２は、表示面がアレイカートリッジ１０の筐体側面部に露出する状態で配置されている。ＬＣＤ３２は、ＭＰＵ３０の出力信号に基づいて、任意の文字情報等を表示するように構成されている。装着検知回路３３は、アレイカートリッジ１０が本体装置１２に装着されているか否かを検知する。リチウム電池３５は、表示回路部１５の上記各部に電源電力を供給する。電源弁別回路３４は、表示回路部１５に供給される電源電力がコネクタ１８を介して本体装置１２から供給される電源電力であるか、リチウム電池３５による電源電力であるかを弁別する。開閉検知回路３６は、アレイカートリッジ１０のディスクドライブ装置１１を収容するための収容口に設けられたカバー１３の開閉を検知する。
【００３３】
さて、アレイカートリッジ１０が本体装置１２に装着されると、コネクタ１８を介して本体装置１２からアレイカートリッジ１０に電力が供給される。そこで、表示回路部１５全体は、アレイカートリッジ１０が本体装置１２から取り外されている状態では、リチウム電池３５を電源として動作するのであるが、アレイカートリッジ１０が本体装置１２に装着されている状態では、コネクタ１８を介して本体装置１２から供給される電力を電源として動作するように構成されている。電源弁別回路３４は、その電源を弁別する。
【００３４】
表示回路部１５の基本的な動作は、不揮発性メモリ３１或いはＭＰＵ３０のＲＯＭ部に記憶された情報を、装着検知回路３３によるアレイカートリッジ１０の本体装置１２に対する装着検知結果と、開閉検知回路３６によるアレイカートリッジ１０のカバー１３の開閉検知結果に基づいて、ＬＣＤ３２に表示する（表示を停止することを含む）ことである。その詳細な動作については図６〜図８のフローチャートを用いて後述する。
【００３５】
図３は、表示回路部１５の装着検知回路３３の詳細な構成を示すブロック図である。
【００３６】
図３において、装着検知回路３３は、プルダウン抵抗４０を備えている。本体装置１２からコネクタ１８を介して表示回路部１５に供給される電源のラインは、図示のようにプルダウン抵抗４０を介してＭＰＵ３０の入力ポートに接続される。アレイカートリッジ１０が本体装置１２から取り外されているときは、図中ａ点の信号レベルはＬｏｗとなるが、アレイカートリッジ１０が本体装置１２に装着されているときは、図中ａ点の信号レベルはＨｉとなる。従って、ＭＰＵ３０の上記入力ポートの信号レベルの状態（Ｈｉ／Ｌｏｗ）によって、アレイカートリッジ１０が本体装置１２に装着されているか否かを検知することができる。
【００３７】
図４は、表示回路部１５の電源弁別回路３４の詳細な構成を示すブロック図である。
【００３８】
図４において、電源弁別回路３４は、ショットキバリアダイオード４１、４２を備えている。本体装置１２からコネクタ１８を介して表示回路部１５に供給される電源のラインと、リチウム電池３５の電圧のラインとは、図示のようにショットキバリアダイオード４１、４２を介して表示回路部１５内の各回路に接続される。ここで、本体装置１２からコネクタ１８を介して供給される電源の電源電圧とリチウム電池３５の電圧は、それぞれ５Ｖ、３Ｖである。ショットキバリアダイオード４１、４２の整流作用により、アレイカートリッジ１０が本体装置１２に装着されているときはコネクタ１８からの電源（５Ｖ）が、また、アレイカートリッジ１０が本体装置１２から取り外されているときはリチウム電池３５（３Ｖ）が、表示回路部１５の電源として選択される。
【００３９】
即ち、ショットキバリアダイオード４１、４２により、本体装置１２からコネクタ１８を介して供給される電源とリチウム電池３５から供給される電源を弁別する電源弁別回路３４が構成されているわけである。ここで、ショットキバリアダイオード４１、４２の順方向降下電圧も考慮に入れると、最終的に表示回路部１５への電源電圧としては約４．８Ｖまたは２．８Ｖが出力されることになるが、表示回路部１５を構成するＩＣ、ＬＳＩ等は例えばＣＭＯＳで構成されているため、どちらの電圧でも問題なく動作する。尚、電源弁別回路３４は、ショットキバリアダイオードではなくＦＥＴなどのスイッチ素子を用いて構成しても勿論よい。
【００４０】
図５は、表示回路部１５の開閉検知回路３６の詳細な構成を示すブロック図である。
【００４１】
図５において、開閉検知回路３６は、マイクロスイッチ４３、プルアップ抵抗４４を備えている。マイクロスイッチ４３は、使用者によるアレイカートリッジ１０のカバー１３を開閉する操作に連動して作動するスイッチである。マイクロスイッチ４３の一方の端子は接地されており、他方の端子はプルアップ抵抗４４でプルアップされてＭＰＵ３０の入力ポートに接続されている。マイクロスイッチ４３は、カバー１３の開閉に連動して「開閉」されるので、ＭＰＵ３０の上記入力ポートの信号レベルにより、カバー１３の開閉を検知することができる。尚、開閉検知回路３６は、メカニカルなマイクロスイッチではなく、光学的なフォトインタラプタなどのセンサ素子を用いて構成しても勿論よい。
【００４２】
次に、上記のように構成された本実施の形態のアレイカートリッジ１０を中心とした動作を図６〜図８のフローチャートを用いて説明する。
【００４３】
図６は、アレイカートリッジ１０の表示回路部１５の不揮発性メモリ３１に対する情報の書き込み処理を示すフローチャートである。
【００４４】
図６において、まず、アレイカートリッジ１０のＭＰＵ３０は、本体装置１２からの上記シリアルインターフェースを介した書き込み指示を待機する（ステップ１００）。ＭＰＵ３０は、書き込み指示を受信したら（ステップＳ１００で「有」）、当該書き込み指示に基づく書き込み内容（後述の第一の情報としての識別情報）を不揮発性メモリ３１の所定の領域に記憶する（ステップ１０１）。以後はステップ１００からの処理を繰り返す。
【００４５】
即ち、本体装置１２は、アレイカートリッジ１０のコネクタ１８及び表示回路部１５のＭＰＵ３０のシリアルインターフェースを介して、必要があればいつでもアレイカートリッジ１０の不揮発性メモリ３１に記憶させる情報（少なくとも一部）を更新（書き換え）することができる。尚、図６のフローチャートに示す処理は、当然のことながらアレイカートリッジ１０が本体装置１２に装着されているときだけに意味がある（実行される）。
【００４６】
図７は、アレイカートリッジ１０のカバー１３の開閉検知関連処理を示すフローチャートである。
【００４７】
図７において、まず、アレイカートリッジ１０のＭＰＵ３０は、装着検知回路３３の出力信号に基づき、アレイカートリッジ１０が本体装置１２に装着されているか否かを判定する（ステップ２００）。アレイカートリッジ１０が本体装置１２に装着されている場合は（ステップＳ２００で「装着中」）、ＭＰＵ３０は、不揮発性メモリ３１の所定領域上に設定された開閉記憶フラグを「閉」状態（＝０）にセットする（記憶する）（ステップ２０１）。一方、アレイカートリッジ１０が本体装置１２から取り外されている場合は（ステップＳ２００で「取り外し中」）、ＭＰＵ３０は、上記開閉記憶フラグが「開」状態であるか「閉」状態であるかを判定する（ステップ２０２）。
【００４８】
上記開閉記憶フラグが「開」状態である場合は（ステップＳ２０２で「開状態」）、ＭＰＵ３０は、何の処理も行わずステップ２００に戻る。一方、上記開閉記憶フラグが「閉」状態である場合は（ステップＳ２０２で「閉状態」）、ＭＰＵ３０は、開閉検知回路３６の出力信号に基づき、カバー１３の開閉状態を判定する（ステップ２０３）。開閉検知回路３６が「閉」を検知した場合は（ステップＳ２０３で「閉」）、ＭＰＵ３０は、何の処理も行わずステップ２００に戻る。一方、開閉検知回路３６が「開」を検知した場合は（ステップＳ２０３で「開」）、ＭＰＵ３０は、上記開閉記憶フラグを「開」状態（＝１）にセットする（記憶する）（ステップＳ２０４）。
【００４９】
以上の処理によって、アレイカートリッジ１０を本体装置１２から取り外している間に一度でもアレイカートリッジ１０のカバー１３を開けると、開閉記憶フラグが「開」状態として保持されるようになっているわけである。尚、開閉記憶フラグの「開」状態の保持のクリア、即ち「閉」状態への再セットは、アレイカートリッジ１０を本体装置１２に装着することで実施される。
【００５０】
図８は、アレイカートリッジ１０の表示回路部１５のＬＣＤ３２の表示処理を示すフローチャートである。
【００５１】
図８において、まず、アレイカートリッジ１０のＭＰＵ３０は、アレイカートリッジ１０が本体装置１２に装着されているか否かを判定する（ステップ３００）。アレイカートリッジ１０が本体装置１２に装着されている場合は（ステップＳ３００で「装着中」）、ＭＰＵ３０は、ＬＣＤ３２の表示を停止し（ステップ３０１）、ステップ３００に戻る。一方、アレイカートリッジ１０が本体装置１２に装着されていない場合は（ステップＳ３００で「取り外し中」）、ＭＰＵ３０は、図７で説明した開閉記憶フラグの値を判定する（ステップ３０２）。
【００５２】
上記開閉記憶フラグが「閉」状態（＝０）である場合は（ステップＳ３０２で「閉状態」）、ＭＰＵ３０は、図６で説明した不揮発性メモリ３１の記憶情報（第一の情報）を読出し（ステップＳ３０３）、当該第一の情報をＬＣＤ３２に表示する（ステップ３０４）。以後はステップ３００からの処理を繰り返す。一方、上記開閉フラグが「開」状態（＝１）である場合は（ステップＳ３０２で「開状態」）、ＭＰＵ３０は、ＭＰＵ２０のＲＯＭ部に予め記憶させてある第二の情報を読出し（ステップ３０５）、当該第二の情報をＬＣＤ３２に表示する（ステップ３０６）。以後はステップ３００からの処理を繰り返す。
【００５３】
ここで、不揮発性メモリ３１に記憶させる情報即ち上記第一の情報を、アレイカートリッジ１０のタイトルラベル、ボリューム名、ＩＤ番号などの識別情報とし、ＭＰＵ２０のＲＯＭ部に予め記憶させておく上記第二の情報を、「カバーが開けられました」等の文字列とする。通常時には、タイトルラベル、ボリューム名、ＩＤ番号などの識別情報をＬＣＤ３２に表示し、また、アレイカートリッジ１０を本体装置１２から取り外している間に一旦カバー１３が開けられた後は、「カバーが開けられました」等を示す情報をＬＣＤ３２に表示する。また、アレイカートリッジ１０が本体装置１２に装着されている間は、ＬＣＤ３２には何の表示も行わない。
【００５４】
つまり、ＬＣＤ３２に対する上記表示によって、通常時には、本体装置１２から取り外したアレイカートリッジ１０の識別情報を確認することが可能となり、また、アレイカートリッジ１０を本体装置１２から取り外している間にカバー１３が万一開けられた際には、何らかの不正な取扱いが行われた可能性があることを使用者が認識することが可能となるわけである。
【００５５】
尚、上記第一の情報に、更にアレイカートリッジ１０がそれまで装着されていた本体装置１２の識別情報を加えることで、ＬＣＤ３２に本体装置１２の識別情報を表示するようにしてもよい。アレイカートリッジ１０は、同一構造の複数の本体装置１２に装着可能であるから、ＬＣＤ３２に本体装置１２の識別情報も併せて表示するようにすれば、アレイカートリッジ１０がそれまでどの本体装置１２に装着されていたのかをも確認することができる。
【００５６】
また、図８のフローチャートでは、ステップ３０１で、アレイカートリッジ１０が本体装置１２に装着されている間はＬＣＤ３２の表示を停止するようにしたが、表示回路部１５をカバー１３の上面部に配置する場合は、このステップＳ３０１の処理を削除して、アレイカートリッジ１０が本体装置１２から取り外されているときと同様に表示を継続するようにしても勿論よい。
【００５７】
尚、以上の説明では、第一の情報を書き換え可能な不揮発性メモリ３１に記憶させ、第二の情報をＭＰＵ３０内のＲＯＭ部に記憶させる構成としたが、第一及び第二の情報とも不揮発性メモリ３１に記憶させる構成としても勿論よい。但し、第二の情報は、使用者が自由には書き換えられない構成とするのが望ましい。また、第二の情報をＬＣＤ３２に表示するときに、単に第二の情報だけを表示するのではなく、第一の情報に付加する形で第二の情報を表示するようにしてもよいことは言うまでもない。
【００５８】
以上説明したように、本実施の形態によれば、複数のディスクドライブ装置を収容するアレイカートリッジ１０が、個々のディスクドライブ装置ではなくアレイ構造全体に対して１つの表示装置（ＬＣＤ３２）を備え、アレイ構造全体を識別する識別情報（タイトルラベル、ボリューム名、ＩＤ番号等）をＬＣＤ３２に表示するようにしたので、従来のように個々のディスクドライブ装置ごとに表示装置を備えた場合と比較し、複数の表示装置ごとに同じ内容を表示する冗長さを解消できると共に、部品点数及びコストを削減することができる。
【００５９】
更に、アレイカートリッジ１０のＬＣＤ３２には、上記識別情報を表示するだけでなく、アレイカートリッジ１０が本体装置１２から取り外されている間に、アレイカートリッジ１０のカバー１３が開けられた場合は、その旨（例えば「カバーが開けられました」等）を表示するので、アレイカートリッジ内のディスクドライブ装置に対する何らかの不正な取扱いが行われた可能性があることを使用者が認識することができる。
【００６０】
［第２の実施の形態］
次に、本発明の第２の実施の形態について説明する。
【００６１】
上記第１の実施の形態では、アレイカートリッジ１０のカバー１３については、特に施錠手段を設けていない。しかしながら、アレイカートリッジ１０が本体装置１２から取り外されているときに、適宜の施錠手段によりカバー１３にロックをかけるようにすれば、アレイカートリッジ内のディスクドライブ装置１１に対する不正な取扱い等を防止する上で大いに有効である。そこで、本実施の形態では、アレイカートリッジ１０のカバー１３の開閉に対する施錠手段を設け、カバー１３のロック／ロック解除を制御する構成とするものである。
【００６２】
図９は、本実施の形態に係るアレイカートリッジ１０の表示回路部１５’の構成を示すブロック図である。
【００６３】
図９において、表示回路部１５’は、ＭＰＵ３０（施錠制御手段）、不揮発性メモリ３１、ＬＣＤ３２、装着検知回路３３、電源弁別回路３４、リチウム電池３５、開閉検知回路３６、カバーロック機構駆動回路３７（施錠制御手段）、リモコン受信回路３８を備えている。図中、３９はアレイカートリッジ１０に付属させて使用する赤外線リモコン（指示手段）である。
【００６４】
表示回路部１５’には、図２で説明した構成に加えて、カバーロック機構駆動回路３７とリモコン受信回路３８が追加されている。アレイカートリッジ１０のカバー１３には爪部（不図示）（施錠手段）が設けられており、当該爪部をモータで駆動されるアクチュエータ（不図示）によりカバーロック状態に保持することにより、カバー１３の正規でない開閉を抑制できるように構成されている。
【００６５】
カバーロック機構駆動回路３７は、上記モータを駆動するドライバ素子、位置センサ素子などを備えており、ＭＰＵ３０の指示に基づいてカバー１３の開閉に対してロック／ロック解除を行うことができるように構成されている。リモコン受信回路３８は、アレイカートリッジ１０の外部で使用者により操作される赤外線リモコン３９から送信される信号を受信する回路である。
【００６６】
赤外線リモコン３９は、ボタンスイッチ４５を備えており、使用者がボタンスイッチ４５を押下することで、赤外線通信により表示回路部１５’に対してカバー１３のロック解除を指示する信号を送信するものである。赤外線リモコン３９は、１台毎に異なった信号コードを送信するように構成されており、例えば出荷時などに設定される前記信号コードとは別の信号コードを持つ赤外線リモコンを用いても、ロック解除の指示はできないようになっている。つまり、赤外線リモコン３９は、アレイカートリッジ１０のカバー１３のロック解除のための「鍵」の役割を担うものである。
【００６７】
ＭＰＵ３０は、表示回路部１５’全体を制御する中央演算処理装置であり、ＭＰＵ３０のＲＯＭ部に格納されたプログラムに基づき後述の図１０〜図１２のフローチャートに示す処理を実行する。尚、表示回路部１５’における、第１の実施の形態（図２）と共通する構成（不揮発性メモリ３１、ＬＣＤ３２、装着検知回路３３、電源弁別回路３４、リチウム電池３５、開閉検知回路３６）には同一符号を付し、説明を省略する。
【００６８】
次に、上記のように構成された本実施の形態のアレイカートリッジ１０を中心とした動作を図１０〜図１２のフローチャートを用いて説明する。
【００６９】
図１０は、アレイカートリッジ１０のカバー１３のロック／ロック解除関連処理を示すフローチャートである。
【００７０】
図１０において、まず、アレイカートリッジ１０のＭＰＵ３０は、アレイカートリッジ１０が本体装置１２に装着されているか否かを判定する（ステップ４００）。アレイカートリッジ１０が本体装置１２に装着されている場合は（ステップＳ４００で「装着中」）、ＭＰＵ３０は、開閉検知回路３６によるアレイカートリッジ１０のカバー１３の開閉検知結果を判定する（ステップ４０１）。開閉検知回路３６の検知結果が「開」の場合は（ステップＳ４０１で「開」）、ＭＰＵ３０は、何の処理も行わずステップ４００に戻る。一方、開閉検知回路３６の検知結果が「閉」の場合は（ステップＳ４０１で「閉」）、ＭＰＵ３０は、カバー１３が既にロック済みか否かを判定する（ステップ４０２）。
【００７１】
カバー１３がロック済みだった場合は（ステップＳ４０２で「済」）、ＭＰＵ３０は、リモコン受信回路３８により赤外線リモコン３９からのロック解除指示の送信信号を待ち受け（ステップＳ４０３）、赤外線リモコン３９からロック解除指示があった場合は（ステップＳ４０３で「有」）、ＭＰＵ３０は、不揮発性メモリ３１の所定領域に設定した解除指示フラグをセット（＝１）した後（ステップ４０４）、カバーロック機構駆動回路３７を制御してロック解除を実施する（ステップ４０５）。そして、ＭＰＵ３０は、カバー１３の開放を待機し（ステップ４０６）、カバー１３が開けられたら（ステップＳ４０６で「開」）、ステップ４００に戻る。
【００７２】
一方、カバー１３がロック済みでない場合は（ステップＳ４０２で「未」）、ＭＰＵ３０は、カバーロック機構駆動回路３７を制御してロックを実施する（ステップ４０７）。以後はステップ４００に戻る。ステップ４００に戻り、アレイカートリッジ１０が本体装置１２に装着されていない場合は（ステップＳ４００で「取り外し中」）、ＭＰＵ３０は、不揮発性メモリ３１の所定領域に設定した上記解除指示フラグをクリア（＝０）し（ステップ４０８）、以後はステップ４００に戻る。
【００７３】
以上の処理により、アレイカートリッジ１０のカバー１３を閉めたときに自動的にカバー１３のロックが実施され（いわゆるオートロック）、一旦カバー１３のロックが実施された後は、赤外線リモコン３９によるロック解除指示でのみカバー１３のロックが解除されるという動作が実現される。尚、カバー１３のロック解除後に再度カバー１３のロックを行うには、カバー１３を開けた後に再びカバー１３を閉じればよい。また、解除指示フラグのクリアは、アレイカートリッジ１０を本体装置１２に再装着することで実施される。
【００７４】
図１１及び図１２は、アレイカートリッジ１０の表示回路部１５’のＬＣＤ３２の表示処理を示すフローチャートである。
【００７５】
図１１及び図１２において、ステップ３００〜ステップＳ３０４までの処理は、図８で説明したステップ３００〜ステップＳ３０４までの処理と同じであるので説明を省略する。ステップＳ３０２における開閉記憶フラグの値を判定した結果、開閉記憶フラグの値が「開」状態（＝１）であった場合は（ステップＳ３０２で「開状態」）、ＭＰＵ３０は、赤外線リモコン３９からロック解除指示があったか否かを上記解除指示フラグの値から判定する（ステップ３１０）。
【００７６】
赤外線リモコン３９からロック解除指示があった場合（解除指示フラグ＝１）は（ステップＳ３１０で「セット」）、ＭＰＵ３０は、ＭＰＵ３０のＲＯＭ部に予め記憶させてある第二の情報を読出し（ステップ３１１）、当該第二の情報をＬＣＤ３２に表示する（ステップ３１２）。一方、赤外線リモコン３９からロック解除指示がなかった場合（解除指示フラグ＝０）は（ステップＳ３１０で「クリア」）、ＭＰＵ３０は、ＭＰＵ３０のＲＯＭ部に予め記憶させてある第三の情報を読出し（ステップ３１３）、当該第三の情報をＬＣＤ３２に表示する（ステップ３１４）。以後はステップ３００からの処理を繰り返す。
【００７７】
ここで、ＭＰＵ３０のＲＯＭ部に記憶させておく上記第二の情報を、「リモコンのロック解除指示によりカバーが開けられました」等の文字列とし、ＭＰＵ３０のＲＯＭ部に記憶させておく上記第三の情報を、「不正な手段でカバーが開けられました」等の文字列とすることで、アレイカートリッジ１０を本体装置１２から取り外しているときに、カバー１３が正規の手段で開けられたのか、不正な手段で開けられたのかを使用者が認識することができる。尚、図１１及び図１２には図示していないが、カバー１３のロックが実施されているのかロックが解除されているのかの状態を、第一、第二、第三の情報とは別にＬＣＤ３２に常時表示させるようにしてもよい。
【００７８】
尚、以上の説明では、第一の情報を書き換え可能な不揮発性メモリ３１に記憶させ、第二の情報、第三の情報をＭＰＵ３０内のＲＯＭ部に記憶させる構成としたが、第一〜第三の情報とも不揮発性メモリ３１に記憶させる構成としても勿論よい。但し、第二の情報、第三の情報は、使用者が自由には書き換えられない構成とするのが望ましい。また、第二の情報または第三の情報をＬＣＤ３２に表示するときに、単に第二の情報または第三の情報だけを表示するのではなく、第一の情報に付加する形で第二の情報または第三の情報を表示するようにしてもよいことは言うまでもない。
【００７９】
以上説明したように、本実施の形態によれば、アレイカートリッジ１０のカバー１３の開閉に対する施錠手段を設ける共に、単にカバー１３が開けられたことをＬＣＤ３２に表示するのでなく、カバー１３の開けられ方（正規の手段で開けられたのか、不正な手段で開けられたのか）によってＬＣＤ３２に異なった表示を行うようにしたので、アレイカートリッジ内のディスクドライブ装置１１に対する不正な取扱い等を検知及び防止する上で大いに有効である。
【００８０】
尚、第１及び第２の実施の形態では、アレイカートリッジ１０の表示回路部１５（１５’）に搭載する電池としてリチウム電池を例に挙げたが、リチウム電池に限定されるものではなく、二次電池や太陽電池を用いてもよく、或いは異なる種類の電池を組み合わせて用いてもよい。更に、表示回路部１５（１５’）に対する本体装置１２側からの電力供給は必ずしも必要ではなく、表示回路部１５（１５’）を常時電池で動作するようにしても勿論よい。
【００８１】
また、第１及び第２の実施の形態では、アレイカートリッジ１０を本体装置１２に装着することで、開閉記憶フラグ、解除指示フラグのクリア（＝０）が自動的に行われるようしたが、アレイカートリッジ１０を本体装置１２に装着後、上記フラグのクリアが自動的に行われるのではなく、本体装置１２からの指示に基づいて上記フラグをクリアするようにしても勿論よい。
【００８２】
また、第２の実施の形態では、アレイカートリッジ１０の表示回路部１５’に対し、赤外線リモコン３９からロック解除指示を送信する場合を例に挙げたが、例えば本体装置１２からロック解除指示を送信するようにすることも可能である。
【００８３】
本発明は、上述した実施の形態の機能を実現するソフトウェアのプログラム（図６〜図８、図１０〜図１２のフローチャート）をコンピュータ又はＣＰＵに供給し、そのコンピュータ又はＣＰＵが該供給されたプログラムを読出して実行することによって、達成することができる。
【００８４】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００８５】
上記プログラムの形態は、オブジェクトコード、インタプリタにより実行されるプログラムコード、ＯＳ（オペレーティングシステム）に供給されるスクリプトデータ等の形態から成ってもよい。
【００８６】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００８７】
この場合、格納媒体から読出されたプログラムコード自体が上述した各実施の形態の機能を実現すると共に、そのプログラムコードを記憶した記憶媒体は本発明を構成する。
【００８８】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００８９】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００９０】
【発明の効果】
以上詳細に説明したように、本発明によれば、複数の記憶装置を収容するアレイカートリッジが、個々の記憶装置ではなくアレイ構造全体に対して１つの表示手段を備え、アレイ構造全体を識別する識別情報（少なくとも、タイトルラベル、ボリューム名、識別番号の何れかの情報）を表示手段に表示するようにしたので、従来のように個々の記憶装置ごとに表示手段を備えた場合と比較し、複数の表示手段ごとに同じ内容を表示する冗長さを解消できると共に、部品点数及びコストを削減することができる。
【００９１】
また、アレイカートリッジが情報処理装置から取り外されている状態において、カバーの閉鎖が記憶されている場合は、識別情報を表示手段に表示させ、カバーの開放が記憶されている場合は、カバーが開放された旨を表示手段に表示させるので、アレイカートリッジ内の記憶装置に対する何らかの不正な取扱いが行われた可能性があることを使用者が認識することができる。
【００９２】
また、アレイカートリッジが情報処理装置から取り外されている状態において、カバーの開放がロック解除指示後の開放である場合は、ロック解除指示によりカバーが開放された旨を表示手段に表示させ、カバーの開放がロック解除指示後の開放でない場合は、不正にカバーが開放された旨を表示手段に表示させるので、即ち、アレイカートリッジのカバーの開閉に対する施錠手段を設ける共に、単にカバーが開けられたことを表示手段に表示するのでなく、カバーの開けられ方（正規の手段で開けられたのか、不正な手段で開けられたのか）によって表示手段に異なった表示を行うようにしたので、アレイカートリッジ内の記憶装置に対する不正な取扱い等を検知及び防止する上で大いに有効である。
【図面の簡単な説明】
【図１】本発明の第１の実施の形態に係るアレイカートリッジ、情報処理装置、及びディスクドライブ装置の外観を示す斜視図であり、（ａ）はアレイカートリッジの把手を倒した状態、（ｂ）はアレイカートリッジの把手を立てた状態、（ｃ）はアレイカートリッジのカバーを開いた状態、（ｄ）は情報処理装置の外観、（ｅ）はアレイカートリッジを前方斜め下から見た状態、（ｆ）はディスクドライブ装置の外観をそれぞれ示す斜視図である。
【図２】アレイカートリッジの表示回路部の構成を示すブロック図である。
【図３】表示回路部の装着検知回路の詳細な構成を示すブロック図である。
【図４】表示回路部の電源弁別回路の詳細な構成を示すブロック図である。
【図５】表示回路部の開閉検知回路の詳細な構成を示すブロック図である。
【図６】表示回路部の不揮発性メモリに対する情報の書き込み処理を示すフローチャートである。
【図７】アレイカートリッジのカバーの開閉検知関連処理を示すフローチャートである。
【図８】表示回路部のＬＣＤの表示処理を示すフローチャートである。
【図９】本発明の第２の実施の形態に係るアレイカートリッジの表示回路部の構成を示すブロック図である。
【図１０】アレイカートリッジのカバーのロック／ロック解除関連処理を示すフローチャートである。
【図１１】表示回路部のＬＣＤの表示処理を示すフローチャートである。
【図１２】図１１のフローチャートの続きである。
【符号の説明】
１０  アレイカートリッジ
１１  ディスクドライブ装置
１２  情報処理装置
１３  カバー
１５  表示回路部
１６  通信用コネクタ
１７  電源用コネクタ
１８  コネクタ
３０  ＭＰＵ
３１  不揮発性メモリ
３２  液晶表示装置
３５  リチウム電池
３６  開閉検知回路
３７  カバーロック機構駆動回路
３８  リモコン受信回路
３９  赤外線リモコン
【図１】
2004355138.tif 000003
【図２】
2004355138.tif 000004
【図３】
2004355138.tif 000005
【図４】
2004355138.tif 000006
【図５】
2004355138.tif 000007
【図６】
2004355138.tif 000008
【図７】
2004355138.tif 000009
【図８】
2004355138.tif 000010
【図９】
2004355138.tif 000011
【図１０】
2004355138.tif 000012
【図１１】
2004355138.tif 000013
【図１２】
2004355138.tif 000014